(57)【要約】【課題】  レジ袋や清算後の客自身による商品の詰め替え作業を一掃でき、バッグのように安定した状態で収納でき、不使用時は折畳むことができ、また物品の形態に応じてしっかりと確実に包装できるだけではなく、品物の出し入れの際の操作も、簡単化、迅速化できるよう形成した、使い勝手の良い風呂敷型の物入れ用具を提供する。【解決手段】  方形の面状材１で風呂敷状に形成している物入れ用具である。面状材１に、両端２ａを開口したほぼ円弧状の紐通し部２を、凹湾曲側を向かい合わせて、且つ長手方向の中央２ｂを面状材１の一方の対角線Ｌの位置にほぼ合わせて対向状に一対形成する。この紐通し部２に紐３を通して紐通し部２の両端２ａから露出し、この紐３で紐通し部２を絞って紐通し部２の内方の面状材１の部分２ｃで形作る袋の口を閉塞自在に形成する。【選択図】  図１
0003150249.tif 000002
【実用新案登録請求の範囲】
【請求項１】
方形の面状材で風呂敷状に形成されている物入れ用具であって、上記の面状材に、両端が開口されたほぼ円弧状の紐通し部が、凹湾曲側を向かい合わせて、且つ長手方向の中央が面状材の一方の対角線の位置にほぼ合わされて対向状に一対形成され、この紐通し部に紐が通されて紐通し部の両端から露出され、この紐で紐通し部が絞られて紐通し部の内方の面状材の部分で形作られる袋の口が閉塞自在に形成されていることを特徴とする風呂敷型の物入れ用具。
【請求項２】
請求項１記載の風呂敷型の物入れ用具であって、面状材が二枚重ね合わされ、この重合状の面状材が紐通し部の位置で通路状に縫合されて接続されていることを特徴とする風呂敷型の物入れ用具。
【請求項３】
請求項１又は２記載の風呂敷型の物入れ用具であって、紐が一方の紐通し部から他方の紐通し部にわたって輪状に通されて環状に形成されていることを特徴とする風呂敷型の物入れ用具。
【請求項４】
請求項１乃至３の何れかに記載の風呂敷型の物入れ用具であって、一対の紐通し部の隣り合う端部から露出する紐の露出部分を束ねて止める止め具を備えて形成されていることを特徴とする風呂敷型の物入れ用具。
【請求項５】
請求項３記載の風呂敷型の物入れ用具であって、紐通し部に環状の紐が二本通されて形成されていることを特徴とする風呂敷型の物入れ用具。
【考案の詳細な説明】
【技術分野】
【０００１】
本考案は、風呂敷型の物入れ用具に関し、更に詳しくは柔軟質の矩形状の面状材で形成し、不使用時は携帯や保管が便利になるよう折畳んで平面化でき、使用時は袋状に形作って使用できるよう形成した風呂敷型の物入れ用具に関するものである。
【背景技術】
【０００２】
従来、この種の用具としては、例えば特許文献１に記載されているものがある。
この従来品は、正方形の風呂敷本体の対角線が交叉する箇所の脇にループを取り付け、このループに風呂敷本体の隅を通して結ぶことにより、手提げや肩掛けバッグとして使用できるようにしているものである。
【０００３】
この従来品は、例えばスーパーマーケット等において、精算時に空の買い物籠に考案品を敷き、その後、レジ係に商品を入れてもらうことにより、レジ袋や清算後の客自身による商品の詰め替え作業を省略できるものである。またこれによると、風呂敷本体の隅をループに通してから結ぶことにより、バッグのように安定した形で使用することができる。
【０００４】
しかしながら、この従来品の場合は、品物を収納するとき、先ず対向する一方の隅同士を結び、次に上記の通り、他方の隅をループに通してから締結しなければならなかった。
従ってこれによると、品物の出し入れの際の操作が面倒で手間暇がかかり、その結果、使い勝手が悪い、という問題点があった。
而してこの種の問題の改善策として、例えばループを大きくするのでは、風呂敷本体の隅を通し易くなっても、ループで隅を束ね、品物を外側からしっかり抱えることが難しくなり、物品の形態によっては収納状態が不安定化し、バッグとしての機能が低下することにもなる。
【先行技術文献】
【特許文献】
【０００５】
【特許文献１】実用新案登録第３１３８０４９号公報
【考案の概要】
【考案が解決しようとする課題】
【０００６】
本考案は、このような従来品の問題点に鑑み、提案されたものである。
従って本考案の解決しようとする技術的課題は、レジ袋や清算後の客自身による商品の詰め替え作業を一掃でき、バッグのように安定した状態で収納でき、不使用時は携帯や保管が便利になるよう折畳んで平面化でき、また物品の形態に応じてしっかりと確実に包装できるだけではなく、品物の出し入れの際の操作も、簡単化、迅速化できるよう形成した、使い勝手の良い風呂敷型の物入れ用具を提供することにある。
【課題を解決するための手段】
【０００７】
本考案は、このような技術的課題を達成するため、次のような技術的手段を採る。
即ち、本考案は、図１等に示されるように、方形の面状材１で風呂敷状に形成されている物入れ用具であって、上記の面状材１に、両端２ａが開口されたほぼ円弧状の紐通し部２が、凹湾曲側を向かい合わせて、且つ長手方向の中央２ｂが面状材１の一方の対角線Ｌの位置にほぼ合わされて対向状に一対形成され、この紐通し部２に紐３が通されて紐通し部２の両端２ａから露出され、この紐３で紐通し部２が絞られて紐通し部２の内方の面状材１の部分２ｃで形作られる袋の口が閉塞自在に形成されていることを特徴とする（請求項１）。
【０００８】
本考案の場合、面状材１は品物を包装して持ち運びが可能な形状であれば良いが、具体的には正方形や、また正方形に近い長方形により実現される。本考案品は、冷凍食品や濡れた野菜等の品物を水漏れすることなく運ぶことができるよう、面状材１は防水加工が施されているのが好ましい。また面状材１の材質は自由であり、例えばビニール等の樹脂製でも、或いは高級感を醸し出すことができるよう、縮緬等の生地で形成されているのでも良い。
【０００９】
またここで、風呂敷状とは、柔軟質で折り畳みできる、ということを意味する。またほぼ円弧状とは、完全な円弧には限られず、曲率が多少異なる部分を有していたり、直線部分を有している場合を含む、ということを意味する。本考案の場合、紐通し部２は、その長手方向の中央２ｂが一方の対角線Ｌの位置と一致している必要はなく、多少ずらされているのでも良い。また紐通し部２は、断続状に形成されているのでも良い。
【００１０】
而して本考案は、図１等に示されるように、面状材１が二枚重ね合わされ、この重合状の面状材１が紐通し部２の位置で通路状に縫合されて接続されているのが好ましい（請求項２）。
【００１１】
なぜならこれによると、面状材１が二重のため、強度が高まるだけではなく、内側と外側の面状材１の材質や、色彩、模様その他の形態を変えることで、多種多様なデザイン性に富んだ面白みのある本考案品を提供できるからである。
またこの場合は、紐通し部２を縫合することで、二枚の面状材１を一体化できるから、面状材１を二重にする場合でも、その接続の手間暇を軽減でき、また紐通し部２を、例えば細長状の布片等を用いて個別に形成する場合に比べ、紐通し部２を簡単、迅速、低コストで形成できるからである。
なお、この本考案品の場合、二枚の面状材１の大きさは、同じ状態が好ましいが、これに限定されるものではなく、例えば内側の面状材１が外側の面状材１より一回り小さく形成されているのでも良い。
【００１２】
また本考案は、紐３が一方の紐通し部２から他方の紐通し部２にわたって輪状に通されて環状に形成されているのが好ましい（請求項３）。
なぜならこれによると、紐通し部２から紐３が抜け落ちることを防止できるだけではなく、紐通し部２の両端２ａから引き出されている紐３の露出部分３ａがつながっているため、この箇所に例えば手指を引っ掛けて牽引し易くなるからである。
【００１３】
また本考案は、一対の紐通し部２の隣り合う端部から露出する紐３の露出部分３ａを束ねて止める止め具５を備えて形成されているのが好ましい（請求項４）。
なぜならこれによると、紐通し部２を絞った後、袋の口を止め具５で塞ぎ易くなるからである。止め具５の種類は自由であり、例えば紐３に沿って摺動して任意の位置で紐３を固定する手段を有するものや、その他例えばクリップ状や洗濯ばさみ状等に形成されているのでも良い。
【００１４】
また本考案は、図７に示されるように、紐通し部２に環状の紐３１、３２が二本通されて形成されているのが好ましい（請求項５）。
なぜならこれによると、各紐３１、３２を反対側に引くことで紐通し部２を瞬時に絞って袋の口を閉塞でき、閉塞操作をより簡単化、迅速化できるからである。
【考案の効果】
【００１５】
本考案は、このように方形の面状材で風呂敷状に形成されている物入れ用具であって、上記の面状材に、両端が開口されたほぼ円弧状の紐通し部が、凹湾曲側を向かい合わせて、且つ長手方向の中央が面状材の一方の対角線の位置にほぼ合わされて対向状に一対形成され、この紐通し部に紐が通されて紐通し部の両端から露出され、この紐で紐通し部が絞られて紐通し部の内方の面状材の部分で形作られる袋の口が閉塞自在に形成されているものである。
【００１６】
従って本考案品は、スーパーマーケット等において、精算時に、空の買物籠の中に本考案品を敷いてから品物を入れることにより、レジ袋や、清算後の客自身による商品の詰め替え作業を一掃でき、レジ袋を削減できる点で、ひいては地球温暖化対策にも貢献できる。
【００１７】
また本考案品は、折り畳んで薄く小さくでき、軽量でもあるから、携帯や保管が容易である。
また本考案品は、紐を引いて紐通し部を絞り、袋の口を閉じた後、角部分を結ぶものであるから、これによると、形がいびつな品物でも、その形状に合わせて、バッグのように安定した状態でしっかりと収納、包装でき、しかも品物の出し入れの際の操作も、簡単化、迅速化できるものである。
【００１８】
また本考案品は、面状材で風呂敷型であるから、弁当などを包み、お花見等の出先では品物を取り出した後、広げてレジャーシートとして使用することができる。
更に本考案品は、例えば幼児を連れて外出したときも、本考案品を広げておむつ替えを行えば、使用済みのおむつを直ぐに本考案品で包むことができる。
従って本考案品によると、買物のときだけではなく、レジャーやおむつ替え等の際も重宝で、使い勝手が良い、という実用上優れた効果を奏する。
【図面の簡単な説明】
【００１９】
【図１】本考案の物入れ用具の斜視図である。
【図２】同上用具の平面図である。
【図３】図２のＩＩＩ−ＩＩＩ線の要部拡大断面図である。
【図４】同上用具の使用例を説明するための斜視図である。
【図５】同上用具の使用例を説明するための斜視図である。
【図６】同上用具の使用例を説明するための斜視図である。
【図７】同上用具の他の実施形態を示す斜視図である。
【考案を実施するための形態】
【００２０】
以下、本考案の好適な一実施形態を、添付図面に従って説明する。
本考案品は、図１等に示されるように、方形の面状材１で風呂敷状に形成されている物入れ用具である。この実施形態の場合、面状材１は、同じ大きさで色彩が異なる正方形の二枚のナイロン製の布が重ね合わされている。そしてこの重合状の面状材１は、紐通し部２の位置で通路状に縫合されて接続されている。
【００２１】
上記の紐通し部２は、両端２ａが開口されてほぼ円弧状に形成されている。またこの紐通し部２は、上記の面状材１に、凹湾曲側を向かい合わせて、且つ長手方向の中央２ｂが面状材１の一方の対角線Ｌの位置にほぼ合わされて対向状に一対配置され、上下に重合されている面状材１の所定位置が通路状に縫合されることで形成されている。
この場合、紐通し部２は、その内方の面状材１の部分２ｃによって形作られる袋の容積が大きくなるよう、この実施形態では可能な限り大きな円弧形に形成されている。
【００２２】
３は、紐通し部２に通されてその両端２ａから露出されている紐である。この紐３は、一方の紐通し部２から他方の紐通し部２にわたって輪状に通され、この実施形態では両端が縛られて環状に形成されている。
本考案品は、この紐３で紐通し部２を絞って紐通し部２の内方の面状材１の部分２ｃが形作る袋の口を閉塞し、また品物４（図４、図５参照）を取り出すときは紐３を緩めて口を広げて使用するものである。
【００２３】
５は、一対の紐通し部２の隣り合う端部から露出する紐３の露出部分３ａを束ねて止める止め具である。この止め具５は、この実施形態では紐３に通されて紐３に沿って摺動可能に形成され、紐３を圧着するバネ５ａ（図２参照）を内部に備えて形成されている。
使用者は、このバネ５ａの段発力に抗して手指でロック部５ｂを押し込み、紐３に沿って止め具５を面状材１の内方に摺動させて口を絞り、また口を拡げる場合は、反対側である外方に摺動させ、その後、ロック部５ｂから手指を離してバネの復元力でロック部５ｂを戻し、紐３の露出部分３ａを圧着して固定するものである。
【００２４】
次に本考案品の使用例を説明する。
先ず使用者は、図４に示されるように、本考案品を、スーパーマーケット等において、レジ横の空の買い物籠６の中に広げて敷く。店員は、この状態で精算後、品物４を買い物籠６に入れ、使用者はその後、図５に示されるように、各止め具５を内方（図面上は下方）に動かして紐通し部２を絞り、ロック部５ｂから手指を離して紐３を圧着固定し、袋の口を閉じる。
次に使用者は、この実施形態では面状材１の、紐３の露出部分３ａに対応する角部分１ａ同士を結び（図６参照）、把持が可能になるよう取っ手７をループ状に形成する。この場合本考案は、上記の角部分１ａとは９０度ずれた位置の角部分１ｂを結んで取って７を形成するのでも良いことは勿論である。
【００２５】
而して品物４を取り出す場合は、先ず角部分１ａによる結びを解き、次に止め具５を外方に移動させて収縮状態の紐通し部２を伸ばし、袋の口を開ければ良い。また携帯時や保管時は、風呂敷のように折り畳み、平面化して使用する。
【００２６】
以上の処において、本考案は、上記の止め具５によることなく、紐３の露出部分３ａ同士を直接結んで袋の口を閉塞するのでも良く、また図７に示されるように、紐通し部２に環状の紐３１、３２が二本通されて形成されているのでも良い。
この場合は、環状の紐３１、３２の各露出部分３１ａ、３２ａを外側方（矢印の方向）に牽引することにより、紐通し部２を瞬時に絞って袋の口をより簡単、迅速に閉じることができる。
【符号の説明】
【００２７】
１    面状材
２    紐通し部
２ａ  両端
２ｂ  中央
２ｃ  紐通し部の内方の面状材の部分
３    紐
Ｌ    一方の対角線
【図１】
0003150249.tif 000003
【図２】
0003150249.tif 000004
【図３】
0003150249.tif 000005
【図４】
0003150249.tif 000006
【図５】
0003150249.tif 000007
【図６】
0003150249.tif 000008
【図７】
0003150249.tif 000009